(57)【要約】【課題】本体に交換可能に取り付けられた替え刃ユニットの刃部を簡単に覆うことができ、使用時にはこの刃部の覆いを簡単に外すことのできて、しかも本体から分離することのないカバーを備えたＴ型カミソリを、簡単な構成によって提供すること。【解決手段】本体１０の先端に設けた２本のアーム１１によって、替え刃ユニット２０を交換可能に支持するようにしたＴ型カミソリ１００であって、替え刃ユニット２０の刃部２１を覆うカバー３０を、各アーム１１に回動可能に設けたこと。【選択図】図１
2011234860.tif 000002
【特許請求の範囲】
【請求項１】
本体の先端に設けた２本のアームによって、替え刃ユニットを交換可能に支持するようにしたＴ型カミソリであって、
前記替え刃ユニットの刃部２１を覆うカバーを、前記各アームに回動可能に設けたことを特徴とするＴ型カミソリ。
【請求項２】
前記アームの何れか少なくとも一方にストッパを設けて、前記替え刃ユニットの刃部を露出させるべく収納回動されてきた前記カバーが前記ストッパに係止されるようにしたことを特徴とする請求項１に記載のＴ型カミソリ。
【請求項３】
前記カバーに、当該カバーの回動方向に開口する切り欠きを形成して、前記カバーを収納回動させたとき、前記切り欠き内に本体の一部が入り込むようにしたことを特徴とする請求項１または請求項２に記載のＴ型カミソリ。
【発明の詳細な説明】
【技術分野】
【０００１】
本発明は、Ｔ型カミソリに関し、特に替え刃ユニットを交換可能に支持することができるＴ型カミソリに関するものである。
【背景技術】
【０００２】
Ｔ型カミソリは、その刃部が、使用する際に手指で持つ「柄」あるいは「本体」に対して直交していることから、「Ｔ型」と呼ばれているのであり、「柄」あるいは「本体」をその長さ方向に引くことによって、この方向と直交状態で刃部を移動させ得ることから安全なカミソリである。
【０００３】
このようなＴ型カミソリでは、柄も含めた全体を使い捨てするものもあるが、例えば特許文献１にも提案されているような、刃部のみを交換して柄を繰り返し使用できるようにしたものもある。この特許文献１に示されたＴ型カミソリは、図１０及び図１１に示すように、「操作つまみを回動させて可動台を…押し上げると、カバーにおいて、突起が上動し、アームが上方へ回動してその切欠きに突起が係入され…アームが突起によりさらに上方へ回動してカバーの天板部が刃部材を載置台部との間で挟持する…逆に操作つまみを回動させて下動させる…」ものである。（特許文献１の段落００２３〜００２５）
【０００４】
この特許文献１に記載されている「カバー」は、「操作つまみを回動させて可動台を上動させる」ことによって、その「天板部にて刃部材を載置台部との間で挟持する」ものであり、刃部の露出を防止するものではない。換言すれば、この特許文献１に記載されているカミソリは、「カバー」によって刃部自体を柄に固定するものであり、刃部の「露出」を防止するものではなく、図１０及び図１１に示すように、刃部の交換及び使用保管は、「刃」が露出したまま行わなければならないものとなっている。
【０００５】
そこで、図１２に示すように、刃部をユニット化して、このユニットの柄（本体）に対する交換を、「刃」に直接指が触れないようにしながらできるようにすることが、例えば特許文献２にて提案されている。
【０００６】
しかしながら、刃部のユニット化がなされても、刃部は使用のために露出させておかなければならないため、そのままでは不使用時においても露出したままとなるから、露出している「刃」を何らかの方法で覆いたいものである。
【先行技術文献】
【特許文献】
【０００７】
【特許文献１】特開平８−１７３６５４号公報、図５、図６、段落００２３〜００２５
【特許文献２】特開平８−０３８７５２号公報、代表図
【発明の概要】
【発明が解決しようとする課題】
【０００８】
以上の通り、この種のＴ型カミソリにおいては、刃部をユニット化してその取り扱いが安全かつ簡単に行えるようになってきてはいるが、不使用時における「刃」を簡単に覆えるようにする必要があるし、また、使用時には、この覆いを簡単に外せるようにしておく必要もある。
【０００９】
そのような覆いは、既に一般的に提案されてきているのであるが、ユニット化された刃部の覆いであるから小さいものであり、また覆っているときに刃部が外部から見えるようにする必要性があることから、透明または半透明の材料によって形成されているため、外されたときは見にくいものである。例えば、大勢の人が使用する大浴場で、外した覆いが洗い場に転がっていったとすると、この覆いは、上記の理由によって見つけにくく、他の人が踏み付けたときにけがをさせてしまう可能性もある。
【００１０】
そこで、本発明者等は、この種のＴ型カミソリにおいて、本体に交換可能に取り付けられた替え刃ユニットの刃部を簡単に覆うことができ、使用時にはこの刃部の覆いを簡単に外せるようにするにはどうしたらよいか、について種々検討を重ねてきた結果、本発明を完成したのである。
【００１１】
すなわち、本発明の目的とするところは、本体に交換可能に取り付けられた替え刃ユニットの刃部を簡単に覆うことができ、使用時にはこの刃部の覆いを簡単に外すことのできて、しかも本体から分離することのないカバーを備えたＴ型カミソリを、簡単な構成によって提供することにある。
【課題を解決するための手段】
【００１２】
以上の課題を解決するために、まず、請求項１に係る発明の採った手段は、後述する最良形態の説明中で使用する符号を付して説明すると、
「本体１０の先端に設けた２本のアーム１１によって、替え刃ユニット２０を交換可能に支持するようにしたＴ型カミソリ１００であって、
替え刃ユニット２０の刃部２１を覆うカバー３０を、各アーム１１に回動可能に設けたことを特徴とするＴ型カミソリ１００」
である。
【００１３】
すなわち、この請求項１に係るＴ型カミソリ１００は、例えば図１に示すように、本体１０の先端に２本のアーム１１を設けておいて、これらのアーム１１に、図１中の仮想線にて示した替え刃ユニット２０を交換可能に支持するものである。このＴ型カミソリ１００を構成している本体１０の先端に設けた２本のアーム１１は、その各外側を指で摘めば互いに内方に撓んで両者間の寸法が小さくなるから、替え刃ユニット２０の取り付け・交換が行えるだけでなく、摘んでいた指を離せば、２本のアーム１１は元の状態に戻るから、替え刃ユニット２０の交換作業を簡単に行えるものとなっているのである。
【００１４】
また、このＴ型カミソリ１００においては、各アーム１１にカバー３０が回動可能に設けてあるから、このカバー３０を、例えば図３の（ｂ）に示す状態に回動させれば、このカバー３０によって替え刃ユニット２０の刃部２１が覆われるのである。これにより、不使用時のＴ型カミソリ１００において、その替え刃ユニット２０の刃部２１がカバー３０によって覆われるから、鞄に入れておいたものを手探りで取り出す等の扱いによってもけがをすることはなく、安全性が確保されているのである。
【００１５】
そして、このＴ型カミソリ１００においては、カバー３０が本体１０の各アーム１１に対して回動可能に設けてあるから、図３の（ｂ）及び図４の（ａ）に示すような替え刃ユニット２０の刃部２１を覆った状態から、図１の（ｂ）及び図２の（ａ）に示すような替え刃ユニット２０の刃部２１の開放状態まで、自由に変更できるものである。勿論、カバー３０によって替え刃ユニット２０の刃部２１が覆われていれば、刃部２１によって指等にけがをすることがないことは上述した通りであり、カバー３０を回動させて刃部２１を開放させれば、本来の使用状態にすることができるのである。
【００１６】
また、このＴ型カミソリ１００において、カバー３０は常に本体１０に回動可能ではあっても連結されたままとなっているのであり、このカバー３０は不用意に本体１０から外れたり無くなってしまうことはないのである。つまり、このＴ型カミソリ１００においては、そのカバー３０の後述する「収納回動」を行った際も、また、カバー３０によって替え刃ユニット２０の刃部２１を覆うための「覆い回動」を行った際も、当該カバー３０を常に本体１０に連結されたままの状態に維持できるのである。
【００１７】
従って、このＴ型カミソリ１００は、本体１０に交換可能に取り付けられた替え刃ユニット２０の刃部２１を簡単に覆うことができ、使用時にはこの刃部２１の覆いを簡単に外すことのできて、しかも本体１０から分離することのないカバー３０を備えたものとなっているのである。
【００１８】
また、上記課題を解決するために、請求項２に係る発明の採った手段は、上記請求項１に記載のＴ型カミソリ１００型カミソリ１００について、
「アーム１１の何れか少なくとも一方にストッパ１２を設けて、替え刃ユニット２０の刃部２１を露出させるべく収納回動されてきたカバー３０がストッパ１２に係止されるようにしたこと」
である。
【００１９】
すなわち、この請求項２に係るＴ型カミソリ１００は、例えば図３の（ｃ）に示すように、そのアーム１１の何れか少なくとも一方にストッパ１２が設けてあるから、替え刃ユニット２０の刃部２１を露出させるべく収納回動（刃部２１を開放して所定位置に収納されるまで回動させること）させると、このカバー３０がストッパ１２に係止され、このカバー３０は、図１の例えば（ｂ）に示すような状態に維持されるのである。
【００２０】
以上のストッパ１２は、収納回動されてきたカバー３０をその位置で止めておくものであるから、その形状やアーム１１に対する形成位置に限定されることはない。本発明においてアーム１１は２本あるとしているから、ストッパ１２は、これらのアーム１１の内のどちらか１本に形成してもよいし、また、各アーム１１の外側に形成しても内側に形成してもよいものである。後述する実施形態では、このストッパ１２は、図３の（ｃ）に示すように、カバー３０側の部分が交差し易いアーム１１の内方側面に形成してある。
【００２１】
収納回動されてきたカバー３０がストッパ１２に係止されて、図１の（ｂ）に示すような状態に維持されるのであれば、替え刃ユニット２０の刃部２１は露出したままの状態となる。このため、当該Ｔ型カミソリ１００によって髭剃りを行うに当たって、カバー３０自体が邪魔になることはなく、髭剃りがスムーズに行えることになるのである。
【００２２】
従って、この請求項２のＴ型カミソリ１００は、上記請求項１に係るそれと同様な機能を発揮する他、髭剃り時にカバー３０が邪魔にならない状態に維持し得て、髭剃りをスムーズに行えるものとなっている。
【００２３】
さらに、上記課題を解決するために、請求項３に係る発明の採った手段は、上記請求項１または請求項２に記載のＴ型カミソリ１００型カミソリ１００について、
「カバー３０に、当該カバー３０の回動方向に開口する切り欠き３１を形成して、カバー３０を収納回動させたとき、切り欠き３１内に本体１０の一部が入り込むようにしたこと」
である。
【００２４】
すなわち、この請求項３に係るＴ型カミソリ１００は、図７に示すように、そのカバー３０に、当該カバー３０の回動方向に開口する切り欠き３１を形成したものである。これにより、このカバー３０を収納回動させたとき、図１の（ａ）〜（ｃ）に示すように、切り欠き３１内に本体１０の一部、例えばアーム１１が入り込むのであり、図１の（ｂ）に示すように、当該カバー３０全体を本体１０側により近くなるように収納させ得ることになる。
【００２５】
当該カバー３０全体を本体１０側により近くなるように収納させることができれば、図１の（ｂ）に示すように、当該カバー３０全体を替え刃ユニット２０から遠くすることができるのであり、刃部２１による髭剃りを行うに当たって、当該カバー３０が邪魔になることをより一層避けることができるのである。
【００２６】
従って、この請求項３に係るＴ型カミソリ１００は、上記請求項１または２のそれと同様な機能を発揮する他、髭剃り作業がより一層スムーズに行えるものとなっている。
【発明の効果】
【００２７】
以上、説明した通り、本発明においては、
「本体１０の先端に設けた２本のアーム１１によって、替え刃ユニット２０を交換可能に支持するようにしたＴ型カミソリ１００型カミソリ１００であって、
替え刃ユニット２０の刃部２１を覆うカバー３０を、各アーム１１に回動可能に設けたこと」
にその構成上の特徴があり取付アーム３２これにより、本体１０に交換可能に取り付けられた替え刃ユニット２０の刃部２１を簡単に覆うことができ、使用時にはこの刃部２１の覆いを簡単に外すことのできて、しかも本体１０から分離することのないカバー３０を備えたＴ型カミソリ１００型カミソリ１００を、簡単な構成によって提供することができるのである。
【図面の簡単な説明】
【００２８】
【図１】本発明に係るＴ型カミソリ１００であって、カバー３０を収納回転したときの状態を示し、（ａ）は平面図、（ｂ）は側面図、（ｃ）は底面図である。
【図２】同状態のＴ型カミソリ１００を示すもので、（ａ）は斜視図、（ｂ）は正面図、（ｃ）は背面図である。
【図３】本発明に係るＴ型カミソリ１００であって、刃部２１を覆うためにカバー３０を覆い回転したときの状態を示し、（ａ）は平面図、（ｂ）は側面図、（ｃ）は底面図である。
【図４】同状態のＴ型カミソリ１００を示すもので、（ａ）は斜視図、（ｂ）は正面図、（ｃ）は背面図である。
【図５】Ｔ型カミソリ１００を構成している本体１０を示し、（ａ）は平面図、（ｂ）は側面図、（ｃ）は底面図である。
【図６】同本体１０を示すもので、（ａ）は斜視図、（ｂ）は正面図、（ｃ）は背面図である。
【図７】Ｔ型カミソリ１００を構成しているカバー３０を示し、（ａ）は平面図、（ｂ）は底面図、（ｃ）は側面図である。
【図８】Ｔ型カミソリ１００を構成しているカバー３０の斜視図である。
【図９】同カバー３０を示し、（ａ）は正面図、（ｂ）は背面図である。
【図１０】特許文献１に示された、カバーを開放したときのカミソリを示すもので、（ａ）は斜視図、（ｂ）は側面図である。
【図１１】同特許文献１に示された、カバーを閉じたときのカミソリを示すもので、（ａ）は斜視図、（ｂ）は側面図である。
【図１２】特許文献２に示された替え刃ユニットの分解斜視図である。
【発明を実施するための形態】
【００２９】
次に、上記のように構成した各請求項に係る発明を、図面に示した実施の形態に係るＴ型カミソリ１００に基づいて説明すると、この実施形態のＴ型カミソリ１００は、上記各請求項の発明の全てを含むものである。なお、替え刃ユニット２０としては、形式も刃部の枚数も種々な交換可能なものとして用意されているため、図面中では、この替え刃ユニット２０を仮想線にて示すこととする。
【００３０】
さて、図１には、替え刃ユニット２０の刃部２１をカバー３０によって覆った、本実施例に係るＴ型カミソリ１００が示してある。このＴ型カミソリ１００は、上述の仮想線にて示した替え刃ユニット２０と、図５及び図６に示した本体１０と、この本体１０の各アーム１１に取り付けた、図７〜図９に示したカバー３０とからなっている。
【００３１】
このＴ型カミソリ１００は、例えば合成樹脂を材料として形成したもので、図１〜図６に示したように、当該Ｔ型カミソリ１００を操作するために手指で掴む本体１０を有している。この本体１０は、特に図５及び図６に示したように、これから図示左方に突出する２本のアーム１１を有しているが、これらのアーム１１は、例えば図５の（ａ）に示したように、同一の量で突出しているものであり、これらのアーム１１の間には空間４０が存在している。この空間４０は、各アーム１１が互いに内方に撓む許容範囲を形成するものであり、また、本体１０全体の材料や重量を軽減するものでもある。
【００３２】
なお、本実施形態の本体１０では、その上記アーム１１以外の部分について空洞部分（図示せず）を多く形成するようにして、これにより、材料や重量の軽減を図るようにしている。この空洞は、例えば図５中に示したような覆い１７によって覆ってある。
【００３３】
各アーム１１の先端部には、図１及び図５の各（ａ）にて示したように、互いに対向して上記空間４０内でのアーム１１の撓み量を規制する撓み規制突起１５が形成してあり、これらの各撓み規制突起１５の反対側には、本体１０の軸心方向に対して直交しながら外方に突出する取付部１３が形成してある。
【００３４】
各撓み規制突起１５は、これらの先端が互いに当接することによって、指で挟まれた各アーム１１のそれ以上の撓みを規制するものであり、各アーム１１の破損を防止するものである。また、各取付部１３は、上述した替え刃ユニット２０そのものの取付がなされる部分であり、その外端部は、図５の特に（ｂ）にて示したように、替え刃ユニット２０の端部を包み込んで支承するユニット把持部１６となっているものである。
【００３５】
また、各アーム１１の先端部であって、下部に位置する部分には、図５の特に（ｂ）にて示したように、後述するカバー３０の枢着部３３を軸止する軸支穴１４が形成してある。この軸支穴１４内にはカバー３０側の枢着部３３が差し込まれるのであるが、各アーム１１は上述したように撓み得るものであるから、この枢着部３３の差し込みは容易に行えるものとなっている。
【００３６】
この実施形態に係るＴ型カミソリ１００では、例えば図３の（ｃ）に示したように、各アーム１１の内側面にストッパ１２が設けてある。このストッパ１２は、収納回動されてきたカバー３０をその位置で止めておくものであり、その形状や形成位置には限定されることはないが、本実施形態では、図３の（ｃ）に示したように、カバー３０側の部分が交差し易いアーム１１の内方側面に僅かな突起として形成したものである。
【００３７】
すなわち、このストッパ１２は、替え刃ユニット２０の刃部２１を露出させるべくカバー３０を収納回動させたとき、このカバー３０の一部（本実施形態にあっては係止突起３４）を係止させるものである。これにより、収納回動されてきたカバー３０は、図１の例えば（ｂ）に示したような状態に保持あるいは維持されるのである。
【００３８】
一方、カバー３０は、これも合成樹脂を材料として一体成形したものであるが、図７〜図９に示したように、本体１０の軸芯に対して直交する方向の本体３０ａと、この本体３０ａに直交した方向に突出する２本の取付アーム３２と、両端部に位置するカバー部３６とを備えている。また、このカバー３０の本体３０ａには、上述した取付アーム３２やカバー部３６とは反対側に突出する指掛け３５が形成してあり、この指掛け３５に指を掛けて押したり引いたりすれば、当該カバー３０の、上述した収納回動や覆い回動の何れの回動操作も容易に行える。
【００３９】
各取付アーム３２及びカバー部３６は、特に図７の（ａ）及び（ｂ）に示したように、両者の間に切り欠き３１が存在する（２カ所存在することになる）状態で本体３０ａから突出形成したものであり、各取付アーム３２は本体１０のアーム１１に連結するのに十分な、また各カバー部３６は替え刃ユニット２０の刃部２１を覆うのに十分な長さのものとしてある。
【００４０】
各取付アーム３２の先端部には、図７の（ａ）及び（ｂ）に示したように、上述したアーム１１側の軸支穴１４内に軸支するための枢着部３３が、当該取付アーム３２の外側に突出するように一体成形してある。また、各取付アーム３２の、上記枢着部３３が形成してあるのと同じ側の面には、係止突起３４がそれぞれ形成してある。これら各係止突起３４は、当該カバー３０が収納回動されたとき、上述した本体１０側のストッパ１２に係止することになるものであるが、その形状や大きさは、ストッパ１２に対する係止ができるのであれば自由に設計できるものである。
【００４１】
以上の各取付アーム３２の外側に位置する各カバー部３６は、図７の（ｃ）にて示したように、本体３０ａの、取付アーム３２とは反対側から突出するものであり、その外側面には、替え刃ユニット２０の肩部に係合するユニット係止部３７が形成してある。このユニット係止部３７は、替え刃ユニット２０の刃部２１の覆いが当該カバー３０によってなされたときの、カバー３０の替え刃ユニット２０に対する固定を行うものである。
【符号の説明】
【００４２】
１００    Ｔ型カミソリ
１０    本体
１１    アーム
１２    ストッパ
１３    取付部
１４    軸支穴
１５    撓み規制突起
１６    ユニット把持部
１７    覆い
２０    替え刃ユニット
２１    刃部
３０    カバー
３０ａ  本体
３１    切り欠き
３２    取付アーム
３３    枢着部
３４    係止突起
３５    指掛け
３６    カバー部
３７    ユニット係止部
４０    空間
【図１】
2011234860.tif 000003
【図２】
2011234860.tif 000004
【図３】
2011234860.tif 000005
【図４】
2011234860.tif 000006
【図５】
2011234860.tif 000007
【図６】
2011234860.tif 000008
【図７】
2011234860.tif 000009
【図８】
2011234860.tif 000010
【図９】
2011234860.tif 000011
【図１０】
2011234860.tif 000012
【図１１】
2011234860.tif 000013
【図１２】
2011234860.tif 000014